(57)【要約】【課題】  天井材に設けられたアンテナ装着用の孔に対して、アンテナを装着する場合の作業に係わる手間が少なくなるようする。【解決手段】  各係止手段は、ベース部の周縁部における内側から周縁に向けて形成した長孔と、長孔に対して、長孔の幅寸法よりも大きい径のボルト頭がベース部の表面側に位置する状態で軸部を貫通させ、長孔に沿って往復動自在にしてあるボルトと、退避位置と突出位置との間を往復動自在に構成してある係止爪とを備え、上記ボルトの自由端は、係止爪の元部側の雌ねじ部に螺合させてあり、係止爪の先端部は、ボルトにおけるボルト頭を長孔に沿って周縁方向に向けて移動させると、その先端が退避位置から外方向の突出位置に向けて突出して、天井材に重合する突出位置に移動するようにしてあり、ボルト頭を回動させることにより係止爪の先端と周縁部の裏面における当面との間を縮めて天井材を締付け固着する。【選択図】    図２
2010074280.tif 000002
【特許請求の範囲】
【請求項１】
裏面にアンテナ部を備えるベース部の周縁部においては、複数個所に係止手段を備えさせると共に、周縁部の裏面には天井材に設けられる孔の孔縁に当て付ける為の当面を備えさせ、
上記当面を天井材の孔縁の下面に当て付けた状態で、上記係止手段における係止爪を天井材の上側から上記当面に向けて圧着させ、上記ベース部を天井材に固着するようにしてあるアンテナにおいて、
上記各係止手段は、 上記ベース部の周縁部における内側から周縁に向けて形成した長孔と、
上記長孔に対して、長孔の幅寸法よりも大きい径のボルト頭がベース部の表面側に位置する状態で軸部を貫通させ、かつ、その軸部は長孔に沿って往復動自在にしてあるボルトと、
元部側に雌ねじ部を有し、上記長孔に沿って退避位置と、突出位置との間を往復動自在に構成してある係止爪とを備え、
上記ボルトの自由端は、上記係止爪の元部側の雌ねじ部に螺合させてあり、
上記係止爪の先端部は、上記長孔を貫通しているボルトにおけるボルト頭を、長孔に沿って周縁方向に向けて移動させると、上記係止爪の先端が、退避位置から外方向の突出位置に向けて突出して、天井材に重合する突出位置に移動するようにしてあり、更に、上記ボルト頭を回動させることにより上記係止爪の先端と、周縁部の裏面における当面との間を縮めて天井材を締め付け固着するようにしてあることを特徴とするアンテナ。
【請求項２】
上記各係止手段は、上記ベース部の周縁部における内側から周縁に向けて形成した長孔と、
上記長孔に対して、長孔の幅寸法よりも大きい径のボルト頭がベース部の表面側に位置する状態で軸部を貫通させ、かつ、その軸部は長孔に沿って往復動自在にしてあるボルトと、
元部側に雌ねじ部を有し、上記長孔に沿って退避位置と、突出位置との間を往復動自在に構成してある係止爪とを備え、
上記ボルトの自由端は、上記係止爪の元部側の雌ねじ部に螺合させてあり、しかも上記係止爪は、常時、ベース部から遠ざかる方向に付勢され、更に、上記係止爪の先端部は、上記長孔を貫通しているボルトにおけるボルト頭を、長孔に沿って周縁方向に向けて移動させると、上記係止爪の先端が、退避位置から外方向の突出位置に向けて突出して、天井材に重合する突出位置に移動するようにしてあり、更に、上記ボルト頭を回動させることにより上記係止爪の先端と、周縁部の裏面における当面との間を縮めて天井材を締め付け固着するようにしてあることを特徴とする請求項１記載のアンテナ。
【請求項３】
上記各係止手段は、上記ベース部の周縁部における内側から周縁に向けて形成した長孔と、
上記長孔に対して、長孔の幅寸法よりも大きい径のボルト頭がベース部の表面側に位置する状態で軸部を貫通させ、かつ、その軸部は長孔に沿って往復動自在にしてあるボルトと、
元部側に雌ねじ部を有し、上記長孔に沿って退避位置と、突出位置との間を往復動自在に構成してある係止爪とを備え、
上記ボルトの自由端は、上記係止爪の元部側の雌ねじ部に螺合させてあり、
上記長孔の両側の縁部における表面側には、長孔の長手方向に沿ってボルト頭の案内面を備えさせ、その案内面は、退避位置から突出位置に向けて上り勾配となる斜面に形成し、突出位置においては沈ませた状態で平坦部を形成し、退避位置と突出位置との間には、係合段部が形成されており、
さらに、上記係止爪の先端部は、上記長孔を貫通しているボルトにおけるボルト頭を、長孔に沿って周縁方向に向けて移動させると、上記係止爪の先端が、退避位置から外方向の突出位置に向けて突出して、天井材に重合する突出位置に移動するようにしてあり、更に、上記ボルト頭を回動させることにより上記係止爪の先端と、周縁部の裏面における当面との間を縮めて天井材を締め付け固着するようにしてあることを特徴とする請求項１又は２記載のアンテナ。
【発明の詳細な説明】
【技術分野】
【０００１】
本発明は、アンテナに関し、詳しくは建物（造営物）の天井面、或は壁面に備えさせ、無線にて目的物に対して信号を送信（或は受信、送受信）する為のアンテナ部、例えば、無線ＬＡＮ用の２周波天井（壁）オムニアンテナ部を備えるアンテナに関する。
【背景技術】
【０００２】
従来より知られている天井設置タイプの「遠隔制御信号を受けて機能する装置」、例えば特許文献１に示される遠隔制御信号受信用装置のユニットは、板状のベース部３の裏面にユニット部４を備えさせるようにする一方、ユニット部４を備えるベース部３の周縁部においては、複数個所に係止手段（符号６、７、８、９、１０、１１等の部材で構成されている）を備えさせると共に、ベース部３の周縁部の裏面には天井材に設けられたユニット装着用の孔２の孔縁に当て付ける為の当面を備えさせ、上記当面を天井材１の下面に当て付けた状態で、上記係止手段における挟み金具（係止爪）１１を天井材の上側から上記当面に向けて圧着させ、上記ベース部３を天井材１に固着するようにしてある（例えば特許文献１参照）。
【０００３】
【特許文献１】特開平７−４５１７３号公報
【発明の開示】
【発明が解決しようとする課題】
【０００４】
この特許文献１のユニットでは、係止手段が上記したように取付具６、脚７、ねじ８、補強板９、支持板１０、挟み金具１１等の多くの部材で構成されていて、何かと便利な面が多い。
特に、ベース部３の周縁部の裏面を天井材１に当て付ける直前において、係止手段における挟み金具（係止爪）１１を、予め天井材の上側に引っかけて、その掛かり具合いを目視、確認できる安全上の利点がある。
しかしながら、その後の取付け作業において、係止手段における脚７の下方に備えさせたねじ８、支持板１０を、上記ベース部３の周縁部に予め備えさせた「だるま孔１２」と「係合孔３０」に結合させる作業は極めて困難を伴う。特に、この時点では天井裏にある配線と、上記ベース部３の裏面にあるユニット部４の配線とはすでに接合されていて、上記天井材１と、上記ベース部３の裏面との間隔は狭く、制約されているので、その狭い場所において、上記複数の挟み金具（係止爪）１１を夫々天井材の上側に引っかけて、しかもその挟み金具（係止爪）１１の下側は、その時点では夫々ぶらぶらと揺れ動く状態にあり、そのような状態にある上記係止手段における夫々の脚７の下方に備えさせたねじ８、支持板１０を、上記ベース部３の周縁部に予め備えさせた「だるま孔１２」と係合孔３０に結合させる作業は、極めて困難を伴う問題点があった。
【０００５】
更に、上記特許文献１のユニットを、家屋における垂直な壁面に対して装着する場合、その垂直な壁面に対して設けられるユニット装着用の孔の孔縁に対して、上記係止手段における挟み金具（係止爪）１１を、予め引っかけようとしても、挟み金具（係止爪）１１は、ユニット装着用の孔の孔縁から脱落する問題点がある。
よって、家屋における垂直な壁面に対してユニットを装着する場合にはさらなる工夫が必要となる問題点がある。
【０００６】
本件出願の目的は、天井材に設けられたアンテナ装着用の孔に対して、アンテナを装着する場合の作業に係わる手間が少なくなるように構成されたアンテナを提供しようとするものである。
他の目的は、天井材に設けられたアンテナ装着用の孔に対して、アンテナを装着する作業中において、天井材の孔縁に対するアンテナの「仮吊り下げ」ができるように構成されているアンテナを提供しようとするものである。
他の目的及び利点は図面及びそれに関連した以下の説明により容易に明らかになるであろう。
【課題を解決するための手段】
【０００７】
本発明におけるアンテナは、
裏面にアンテナ部を備えるベース部の周縁部においては、複数個所に係止手段を備えさせると共に、周縁部の裏面には天井材に設けられる孔の孔縁に当て付ける為の当面を備えさせ、
上記当面を天井材の孔縁の下面に当て付けた状態で、上記係止手段における係止爪を天井材の上側から上記当面に向けて圧着させ、上記ベース部を天井材に固着するようにしてあるアンテナにおいて、上記各係止手段は、上記ベース部の周縁部における内側から周縁に向けて形成した長孔と、上記長孔に対して、長孔の幅寸法よりも大きい径のボルト頭がベース部の表面側に位置する状態で軸部を貫通させ、かつ、その軸部は長孔に沿って往復動自在にしてあるボルトと、元部側に雌ねじ部を有し、上記長孔に沿って退避位置と、突出位置との間を往復動自在に構成してある係止爪とを備え、上記ボルトの自由端は、上記係止爪の元部側の雌ねじ部に螺合させてあり、上記係止爪の先端は、上記長孔を貫通しているボルトにおけるボルト頭を、長孔に沿って周縁方向に向けて移動させると、上記係止爪の先端が、退避位置から外方向の突出位置に向けて突出して、天井材に重合する突出位置に移動するようにしてあり、更に、上記ボルト頭を回動させることにより上記係止爪の先端と、周縁部の裏面における当面との間を縮めて天井材を締め付け固着するようにしたものである。
【発明の効果】
【０００８】
アンテナを天井に取付ける場合、作業者は、天井材に設けられたアンテナ装着用の孔に対して、アンテナの裏面に備えるアンテナ部を先頭にして差し込んだ状態で、ベース部の表面側（室内側）に位置する各係止手段におけるボルト頭を、ベース部の周縁部に備えさせた長孔に沿って、ベース部の周縁部における内側から周縁に向けて移動させるだけで、上記夫々の係止手段における係止爪の先端を、退避位置から外方向の突出位置に向けて突出させて、天井材に重合する突出位置に移動させることができるので、少ない手数でもって、天井材の孔縁に対するアンテナの「仮吊り下げ」ができる特長がある。
このことは、その「仮吊り下げ」の時点で、作業者は重量の有るアンテナを支持する負担から解放され、しかも、天井材の孔と、アンテナの周縁との位置関係を、仕上がり具合いを想定しながら確認することのできる利点もある。仕上がり具合いを確認した後は、気軽に上記の各ボルト頭を回動させることにより、天井材の孔位置と、アンテナの周縁との位置関係を不動のまま、上記係止爪の先端と、ベース部の周縁部の裏面との間を縮めて、上記天井材と、アンテナとの締め固着ができる作業上の効果がある。
【０００９】
以下本発明の実施の形態を図面を用いて説明する。
図１は造営物の天井における天井材１と、天井に設けられたアンテナ取付用の孔３を下から見上げた状態の部分斜視図である。なお、アンテナ６は天井のみならず壁面にも装着することがあるので、その場合、図１の天井材１は、壁面材１として理解されたい。図２はアンテナの裏面図を示し、中央部にアンテナ部７を、両側に夫々係止手段１５を備える。図３はアンテナ６の表面図（室内側から見える図）を示す。図４の（A）は、図２におけるアンテナ６をIV矢視方向から見た正面図。（B）は、図４（A）のIV矢視部分の拡大図。図５の（A）は、図２におけるV矢視部分の係止手段１５（係止爪３３は退避位置３４にある）付近の部分拡大図。（B）は、図２におけるV矢視部分の係止手段１５（係止爪３３は突出位置３５に突出させてある）付近の部分拡大図。 図６は、図２におけるV矢視部分の係止手段１５における係止爪３３を除いて、長孔１６、バネ受面２６、バネ囲い２７及び爪受片３０等の位置関係を表した部分拡大図。図７は、 図３におけるVII矢視部分の係止手段１５におけるボルト頭４３が退避位置にある状態の部分拡大図。
【００１０】
図８の(A)、(B)、(C)の図は、図２におけるVIII−VIII線位置における係止手段１５の係止爪３３の動きを説明するための拡大断面図で、（A）は、係止爪３３を工場出荷状態のまま（退避位置３４）に止めた状態で、天井１に設けられたアンテナ取付用の孔３に対して装入した状態を示し、（B）は、係止爪３３を退避位置３４において爪受片３０から僅かに離した状態で、上記の孔３に対して装入した状態を示し、（C）は、ボルト頭４３を退避位置３４から突出位置３５に移動させ、その移動操作により、係止爪３３を突出位置３５に移動させ、係止爪３３の突出部３７が天井材の孔縁部４に重合する状態を示す断面図。
図９の (A)は、アンテナ６を、天井に設けられたアンテナ取付用の孔３に対して装入する過程を示す側面図。（B)は、アンテナ６を、天井に設けられたアンテナ取付用の孔３に対して装入し終えた状態を示す側面図。
図１０の(A)、(B)図は、図８（C）におけるＸ矢視部分の係止手段１５における係止爪３３を締め付け、周縁部１２における当面12aとの間で固着した状態を示す断面図で、（A）は、厚み寸法の大きい天井材（ボード）を対象とし、（B）は、厚み寸法の小さい天井材（ボード）を対象とした図。
【００１１】
図１１の(A)、(B)、(C)、(D)は、巻ばね４５を受け止める為のばね座金５３の図を示し、（A）は巻ばね４５と、長孔１６と、ボルト４２と、ばね座金５３との関係を説明するための斜視図。（B）は、ばね座金５３の異なる例を示す斜視図。（C）は、ばね座金５３に対して、係止爪３３の回動を規制するための爪ガイド31aを備えさせた例を示すもので、係止爪３３と、巻ばね４５と、長孔１６と、ボルト４２との関係を説明するための分解斜視図。（D）は、（C）図の組立状態を示す部分破断図。
図１２の(A)、(B)、(C)図は、夫々係止爪３３の異なる例を説明するための斜視図。
なお、図面の説明に当り、前出の図に対する後出の図面の説明において、前出の図と同符号を用いた構成、部材等の機能、性質、特徴、手段等は、以下の説明に於て加える新規な部材の構成、組合せ等の説明に係わる事項を除き、前出の図の同符号の説明と同旨である。よって、前出の図に対する後出の図面の説明においては重複する説明は一部省略する。
【００１２】
次に、１は周知の天井材を示し、多くの場合ボードと称される板材が用いられている。なおアンテナ６を壁に装着する場合は、図面における１は、当然のことながら周知の壁材である。２は、天井の内部において天井材１を支える下地材（桟）の存在を示す。３はアンテナ６を装着するために天井に開けられた孔を示し、図９に表れているように、アンテナ部７、係止手段１５の装入は容易となる大きさで、ベース部１１における四方の周縁１３、１３、１３、１３の対向相互間の寸法よりも小さな寸法にしてある。４は孔縁、４aは表面を示す。５は周知の入力・出力用の屋内配線（同軸ケーブル）の存在を示す。
【００１３】
６はアンテナを示し、周知のように、無線にて目的物に対して信号を送信（或は受信、送受信））する為のアンテナ部７、例えば、無線ＬＡＮ用の２周波のオムニアンテナ部を備える。８aはベース部１１に対して元部が一体化（一体成型）されているアンテナ部７のケースの側壁で、内部には周知のように無線機器が収められている。８bは保守点検用の開閉自在の蓋板。１０は屋内配線（同軸ケーブル）に接続するための同軸ケーブルの存在を示す。   
【００１４】
１１は任意の合成樹脂材料で板状に成形されているベース部で、裏面11bの中央部には図示のように一体的にアンテナ部７を備える。ベース部１１の周縁部１２においては、任意複数個所、例えば図２において左右各１カ所、或は図示のように４カ所等に係止手段１５を備えさせる。更に周縁部１２の裏面には天井材１に設けられる孔３の孔縁部４に当て付ける為の当面12aを周設させてある。図においては、ベース部１１の周囲を補強する意味も含めて補強部材11cが配置してあるが、そこに当面12aは周設させてある。
上記ベース部１１の固着は、上記当面12aを天井材１の孔縁の下面（表面4a）に当て付けた状態で、上記係止手段１５における係止爪３３を天井材１の上側から上記当面12aに向けて圧着させることにより、上記ベース部１１を天井材１に固着するようにしてある。
なお１１aは室内の側に現れるベース部の表面、１１cは、板状に成形されているベース部の肉厚を薄くするために必要に応じて各所に設けられる補強リブの存在を示す。１３はベース部の四方にある周縁、１４はベース部の平面形状を四角にした場合に現れる隅部で、そこに夫々係止手段１５を配設してある。しかし、ベース部の平面形状が円形要素（例えば楕円形、円形）にした場合は隅部は存在しないので、アンテナ部７との重量バランスを考慮して周囲に２カ所以上係止手段１５を配設すると良い。
【００１５】
次に上記各係止手段１５について説明する。各係止手段１５は、上記ベース部１１の周縁部１２における内側から周縁１３に向けて形成した長孔１６と、上記長孔１６に対してボルト頭４３がベース部１１の表面11aの側に位置する状態で軸部４４を貫通させ、かつ、その軸部４４は長孔１６に沿って往復動自在にしてあるボルト４２と、元部側３６に雌ねじ部３８を有し、上記長孔１６に沿って退避位置３４と、突出位置３５との間を往復動自在に構成してある係止爪３３とを備え、上記ボルト４２の自由端44aは、上記係止爪３３の元部側３６の雌ねじ部３８に螺合させてあり、上記係止爪３３の先端部３７は、上記長孔１６を貫通しているボルト４２におけるボルト頭４３を、長孔１６に沿って周縁１３の方向に向けて移動させると、上記係止爪３３の先端が、退避位置３４から外方向の突出位置３５に向けて突出して、天井材１に重合する突出位置３５に移動するようにしてあり、更に、上記ボルト頭４３を回動させることにより上記係止爪３３の先端部３７と、周縁部１２の裏面における当面12aとの間を縮めて天井材１を締め付け固着するようにしてある。
【００１６】
上記の点について、更に詳細に説明を加える。図５（B）、図７、図8によく表れている長孔１６の巾寸法W1は、軸部４４の径より大きく、ボルト頭４３の径よりも小さい状態で、周縁１３に向けて矢印１７方向に長く形成してある。長孔１６の位置は、隅部１４において、ベース部１１の一部に図8によく表れているように凹陥部１８を形成し、そこに設けてある。
１８aは、ボルト頭４３を図８のように沈めるための第１凹陥部である。この凹陥部にあっては図示のように長孔１６の両側の縁部16aとなる位置に対して、ボルト頭４３を沿わせて移動させるための平坦な案内面２２が備えられる。なお必要に応じて、案内面としては、図示のようにボルト頭４３を沿わせて定置面２３に向けて移動させるために図示のように傾斜させた案内面２２、ベース部１１を固定した後にボルト頭４３を定住させるためにやや沈んだ状態の平坦な定置面２３及び定置面２３に定住するボルト頭４３が脱出することを防止するための係合段部２４を備えさせてあっても良い。
１８bは、図10（A）（B）から明らかなように、装着作業終了後、ボルト頭４３を隠すための化粧片２０を嵌合状態で位置させるための第２凹陥部、１８cは、化粧片２０の弾力性を備える掛り爪20aを嵌合させるための化粧片嵌合孔を示す。なお、ボルト頭４３をベース部１１の表面11aに露出させる場合は上記凹陥部１８は必要としない。
【００１７】
次に、図５（B）、図６、図８によく表れている２６は、長孔１６の幅寸法よりも大きい径に形成してある圧縮ばね４５の一端45aを受け止める為のバネ受面で、係止爪３３を図８（B）の位置３４と、図８（C）の位置３５を進退動させるときに上記圧縮ばね４５の一端45aが滑らかに移動するように平坦に形成してある。２７は圧縮ばね４５の一端45aが外周に向けて離脱しないように囲うためのバネ囲いを示す。
次に３０は、係止爪３３を図８（A）の位置で支承するための爪受片で、ベース部１１から立ち上げる状態で、一体形成してある。この爪受片３０がある場合には、工場出荷時、ボルト４２をしっかりと締め付けることにより、係止爪３３は受面30aに当接し、不動の状態になる利点がある。なお爪受片３０の配置位置は、図８（C）、図１０の位置で係止爪３３を図面上、上下動させても支障とならない位置に配置してある。
【００１８】
次に、図４，図５に良く表れている３１は、係止爪３３を矢印５０方向に下降させる為にボルト４２を回動させるとき、係止爪３３が不用意に回動を規制するための爪回り止部材で、ベース部１１から立ち上げる状態で、一体形成した部材である。図４，図５においては周囲複数箇所に設けてあるが、都合によっては、係止爪３３を矢印５０方向に下降させるときの回動方向に対して、その回動を規制するための爪回り止部材は１カ所であってもよい。
図５、図８によく表れている３３は、合成樹脂材料で内部を肉抜状に形成された係止爪で、元部３６には、ボルト４２の自由端44aのネジと螺合させるための雌ねじ３８を備え、突出部（先端部）３７は、図１０に表れているようにボード４を締め付けるために自由端にしてある。上記雌ねじ３８は、図示のようにナット３８を係止爪３３に対して一体的に埋め込むことによって構成しても良い。３９は、ボルト４２を不用意に回動させた場合にボルト４２の自由端44aから係止爪３３の雌ねじ３８が外れること防止するための部材であって、止め輪機能を備えるナット、ワッシャ−を利用するものであっても良いし、周知の「止め輪」そのものであっても良い。
なお、係止爪３３としては、その外形を図１２に示されるように構成しても良い。図１２の（A）は、図８（B）の退避位置３４から図８（C）の突出位置３５に向かう過程でボードの孔縁部４を乗り越え易いように先端部分３７に対して、傾斜面（テーパ状）37aを付した例を示す。図１２の（B）と（C）は、図１０の状態で、ボードの孔縁部４に食いついた後は、離れないように鋸歯状37bに形成したり、凹凸面37cに形成した例を示す。
【００１９】
次に４５は、係止爪３３をベース部１１から浮上させる（遠ざける）為の付勢用の手段に用いられている部材を示し、必要がある場合は図示のように備えさせる。一例として巻ばね（圧縮ばね）を示す。巻ばね４５の一端は、図８、図１０に表れているようにベース部１１の側に当接させ、他端45bは、対向する係止爪３３に当接させてある。巻ばね４５の付勢力により、係止爪３３はベース部１１から図８のように浮上し、その浮上力によって、ボルト４２は吊り上げられ、ボルト頭４３は、常時上記案内面２２に当接するようにしてある。
なお、係止爪３３をベース部１１から浮上させる（遠ざける）為の付勢用の手段に用いられている部材としては、他の弾力性のある部材を用いて付勢しても良い。例えばケースの側壁８aから引っ張りばねを用いて係止爪３３を引き上げ（浮上）方向に付勢する等の手段を講じても良い。
次に図において、４８は係止爪３３の突出方向を指す矢印、４９は奥行方向を指す矢印、５０は表出方向・係止爪３３の締め付け方向を指す矢印、Ｈ１はボード１の厚みを示す。
【００２０】
次に、図１１の(A)は、ばねの一端45aを受け止めるようにしたばね座金５３の例を示すもので、ばね座金５３の周囲には一体成形のばね囲い５４を備え、これによりばねの一端45aの周囲をしっかりと把持している。５５はボルト４２を挿通するための透孔を示す。ボルト４２は、図８の場合と同様に、長孔１６，透孔５５，ばね４５を貫通して係止爪３３の元部に螺合される。図１１の(A)の場合、ばね座金５３は、図示のように長孔１６の幅寸法よりも大きい幅寸法にしてあるばね受面２６の表面を長孔１６の長手方向に向けて往復動作可能にしてある。
次に、図１１の(B)は、(A)図の場合とは「ばね囲い５４」の構成が相違し、ばね座金５３の中央部に設けられた透孔５５の周囲に「ばね囲い５４a」を形成し、ばねの一端45aの内側をしっかりと把持するようにしてある。
次に、図１１の(C)、（D）においては、ベース部１１において、長孔１６の幅寸法よりも大きい幅寸法にしてあるスライド用のばね受面２６の上を進退させるばね座金５３を備える。
ばね座金５３に対しては、係止爪３３を矢印５０方向に下降させる為にボルト４２を回動させるとき、係止爪３３が不用意に回動することを規制するために、図示のように係止爪３３の後端３６に内壁面が近づけてある係止爪の回り止部材31aが一体的に備えさせてある。
回り止部材31aの上方には、図示のように案内部材５６が１体的に形成され、これに設けられた孔56aにボルトの自由端を貫通させることにより、係止爪３３の過剰な上昇を防止できるようにしてある。５７は必要に応じて介在させる周知のワッシャ−の存在を示す。
なお、ばね座金５３に対して連設させる上記係止爪の回り止部材31aのばね座金５３に対する取付位置は、図１１の(C)、（D）の場合とは異なり、９０度向きを変えて、係止爪３３の側面33bに、上記係止爪の回り止部材31aが対向するような位置であっても良い。
【００２１】
上記構成のアンテナ６を用いて、アンテナ６を天井１に対して設置する作業について説明する。
現地において、天井１に対し、前述した大きさのアンテナ装着用の孔３を空ける。孔３の奥にアンテナ部７を存置させるだけの充分の空間があることを確認する。次に、屋内配線（導線）５と、アンテナ部７から引き出されている導線（同軸ケーブル等）１０とを周知の手段（例えば接続器具）を用いて接続する。
次に図９に１例を示すようにして、即ち、ベース部１１を手で持ち、導線１０を先にし、続いて（A）図のようにしてアンテナ部７を孔３の奥へ押し込み、（B）図のように当面12aが天井の孔縁部４に当接する状態になるまで押し込む。
この押し込み完了状態では、ベース部１１に対する係止手段１５の係止爪３３、長孔１６、ボルト４２、巻ばね４５等の位置関係は、例えば工場出荷の状態、即ち、図８（A）に表れている通りである。
【００２２】
次に、天井材１の厚み寸法H1が比較的小さい場合（例えば９mm、１２mmの場合）は、図８（A）の状態からボルト４２を少し緩め（工場出荷時の締め方が甘い場合はこの操作は不要）、ボルト４２を少し持ち上げて、乃至は、巻ばね４５の力を借りて、爪受片３０から係止爪３３を離すと、係止爪３３は、図８（B）の状態になる。
この状態において、天井下からボルト頭４３を、夫々係止爪３３の突出方向（矢印４８方向）に移動させる操作をすると、各係止爪３３の先端部３７は、図８（C）に現れているように夫々天井の孔縁部４と重合する状態になる。この状態では、ベース部１１から手を離しても、夫々突出している係止爪３３の先端部３７が天井の孔縁部４と重合しているので、アンテナ６が落下する危険はなく、天井材の孔縁４に対するアンテナ６の「仮吊り下げ」が成立していることになる。この時点で、作業者は重量の有るアンテナを支持する負担から解放される。
作業員は、「仮吊り下げ」が成立した状態で、脚立から降りて、天井材の孔３に対して至近距離で接近しているアンテナの周縁１３との位置関係を、仕上がり具合いを想定しながら確認する。
仕上がり具合いを確認した後は、再び脚立に上がり上記の各ボルト頭４３を回動させることにより、天井材の孔３の位置と、アンテナの周縁１３との位置関係を不動のまま、上記係止爪３３の先端と、ベース部の周縁部１２の裏面11bとの間を図10に表れているように縮めて、上記天井材１と、アンテナ６との締め固着をする。
【００２３】
天井材１の厚み寸法H1が比較的大きい場合（例えば１６mm、乃至それ以上の場合）は、 図８（A）の状態からボルト４２を緩め（工場出荷時に大きく緩めてある場合はこの操作は不要）、ボルト４２を持ち上げて、乃至は、巻ばね４５の力を借りて、爪受片３０から係止爪３３を必要とする寸法だけ離すと係止爪３３は図８（B）の状態になる。
その後は前述の説明と同様（図１０（A）に係わる説明参照）にして、上記天井材１と、アンテナ６との締め固着をする。
【００２４】
次に、アンテナ６を垂直状態の壁面に対して装着する場合について説明する。アンテナ６を壁面に対して装着する場合の手順、工法と、前述したアンテナ６を天井に対して装着する場合の手順、工法とは、図８、図９、図１０に係わる前述の説明から明らかなように同様である。即ち、前記図８、図９、図１０においては天井材１が水平に描かれていたのに対し、壁面を対象とする場合は、上記天井材１が垂直に描かれる場合を想定すれば、アンテナ６を壁面に対して装着する場合の手順、工法は、図８、図９、図１０に係わる前述の説明から容易に理解できるので、重複的な説明は省略する。
【図面の簡単な説明】
【００２５】
【図１】天井と、天井に設けられたアンテナ取付用の孔を下から見上げた状態の部分斜視図。
【図２】アンテナの裏面図。
【図３】アンテナの表面図。
【図４】（A）は、図２におけるアンテナをIV矢視方向から見た正面図。（B）は、図４（Aの）IV矢視部分の拡大図。
【図５】（A）は、図２におけるV矢視部分の係止手段（係止爪は退避位置にある）付近の部分拡大図。（B）は、図２におけるV矢視部分の係止手段（係止爪は突出位置に突出させてある）付近の部分拡大図。
【図６】図２におけるV矢視部分の係止手段における係止爪を除いて長孔、バネ受面、バネ囲い及び爪受片等の位置関係を表した部分拡大図。
【図７】図３におけるVII矢視部分の係止手段におけるボルト頭が退避位置にある状態の付近部分拡大図。
【図８】(A)(B)(C)の図は、図２におけるVIII−VIII線位置における係止手段の係止爪の動きを説明するための拡大断面図で、（A）は、係止爪を工場出荷状態のまま退避位置に止めた状態で、天井に設けられたアンテナ取付用の孔に対して装入した状態を示し、（B）は、係止爪を退避位置において爪受片から僅かに離した状態で、孔に対して装入した状態を示し、（C）は、ボルト頭を退避位置から突出位置に移動させ、その操作により、係止爪を突出位置に移動させ、係止爪の突出部が天井材の孔縁に重合する状態を示す断面図。
【図９】(A)は、アンテナを、天井に設けられたアンテナ取付用の孔に対して装入する過程を示す側面図。（B)は、アンテナを、天井に設けられたアンテナ取付用の孔に対して装入した状態を示す側面図。
【図１０】(A)(B)図は、図８（C）におけるＸ矢視部分の係止手段における締め付け状態を示す断面図で、（A）は、厚み寸法の大きい天井材（ボード）を対象とし、（B）は、厚み寸法の小さい天井材（ボード）を対象とした図。
【図１１】(A)(B)(C)(D)は、巻ばねを受け止める為の座金の斜視図を示し、（A）は巻ばねと、長孔と、ボルトとの関係を説明するための斜視図。（B）は座金の異なる例を示す斜視図。（C）は座金に対して、回動規制用の爪ガイドを備えさせた例を示すもので、係止爪と、巻ばねと、長孔と、ボルトとの関係を説明するための分解斜視図。（D）は、（C）図の組立状態を示す部分破断図。
【図１２】(A)(B)(C)図は、夫々係止爪の異なる例を説明するための斜視図。
【符号の説明】
【００２６】
１・・・天井材（壁材）、２・・・下地材（桟）、３・・・孔、４・・・孔縁部、５・・・配線（同軸）、６・・・アンテナ、７・・・アンテナ部、８a・・・ケースの側壁、８b・・・蓋板、１０・・・同軸ケーブル、１１・・・ベース部、１１a・・・表面、１１b・・・裏面、１１c・・・補強リブ、１２・・・周縁部、１２a・・・当面、１３・・・周縁、 １４・・・隅部、１５・・・係止手段、１６・・・長孔、１７・・・矢印、１８・・・凹陥部、２０・・・化粧片、２２・・・案内面、２３・・・定置面、２４・・・係合段部、２６・・・バネ受面、２７・・・バネ囲い、３０・・・爪受片、３０a ・・・受面、３１・・・爪回り止部材（回動規制用）、３３・・・係止爪中空、３４・・・退避位置、３５・・・突出位置、３６・・・元部、３７・・・先端部、３８・・・雌ねじ部（ナット）、３９・・・ゆるみ止金具、４２・・・ボルト、４３・・・ボルト頭、４４・・・軸部、４４a・・・自由端、４５・・・巻ばね（圧縮）、４５a・・・一端、４５b・・・他端、５３・・・バネ座金、５４・・・バネ囲い、５５・・・透孔、５６・・・案内部材、５６a・・・孔、５７・・・ワッシャー
【図１】
2010074280.tif 000003
【図２】
2010074280.tif 000004
【図３】
2010074280.tif 000005
【図４】
2010074280.tif 000006
【図５】
2010074280.tif 000007
【図６】
2010074280.tif 000008
【図７】
2010074280.tif 000009
【図８】
2010074280.tif 000010
【図９】
2010074280.tif 000011
【図１０】
2010074280.tif 000012
【図１１】
2010074280.tif 000013
【図１２】
2010074280.tif 000014